【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
第１容器に収納された材料を、第２容器に充填する材料充填装置であって、
側面の内壁面によって区画された区画領域の周縁部で前記第１容器から供給された前記材料を中継する材料中継部材と、前記材料中継部材よりも外側の領域で前記第２容器を保持する第２容器保持部とを有する充填装置ユニットと、
前記充填装置ユニットを、前記材料中継部材の区画領域の中心を通り、鉛直方向に延びる回転軸線を中心に回転させる回転駆動機構と、
を含み、
前記材料中継部材の側面には、貫通穴が形成されており、
前記第２容器保持部は、前記回転軸線に対して傾斜するように、前記第２容器を保持し、
前記充填装置ユニットは、前記貫通穴を介して前記材料中継部材の区画領域と前記第２容器の内部空間とが連通されるように構成されており、
前記回転駆動機構は、前記充填装置ユニットを回転させることにより、前記材料に作用する遠心力を利用して、前記第１容器から前記材料中継部材に供給された前記材料を、前記材料中継部材の区画領域の周縁部に移送し、さらに、前記貫通穴を経由して前記第２容器に移送して充填する材料充填装置。
【請求項２】
請求項１の材料充填装置において、
前記第１容器は、上端が開口しており、内側面が上端側を向く傾斜面となっており、
前記充填装置ユニットは、前記第１容器の上端を上に向けた姿勢で、当該第１容器を保持する第１容器保持部をさらに備えて、前記材料中継部材の側面に前記第１容器の上端を囲繞させ、
前記回転駆動機構は、前記充填装置ユニットを回転させることにより、前記材料に作用する遠心力を利用して、前記第１容器からの前記材料の前記材料中継部材への供給を行う材料充填装置。
【請求項３】
請求項１の材料充填装置において、
前記第１容器は、上端が開口しており、内側面が上端側を向く傾斜面となっており、
前記充填装置ユニットは、前記第１容器の上端を下に向けた姿勢で、当該第１容器を保持する第１容器保持部をさらに備えて、前記材料中継部材の側面に前記第１容器の上端と対抗する底面を囲繞させ、
前記回転駆動機構は、前記充填装置ユニットを回転させることにより、前記材料に作用する遠心力を利用して、前記第１容器からの前記材料の前記材料中継部材への供給を行う材料充填装置。
【請求項４】
請求項２又は請求項３に記載の材料充填装置において、
前記充填装置ユニットは、前記第１容器保持部と前記材料中継部材とが相対的に回転可能に構成されており、
前記回転駆動機構は、前記第１容器保持部を回転駆動する第１回転駆動機構と、前記材料中継部材を回転駆動する第２回転駆動機構とを含む材料充填装置。
【請求項５】
請求項２又は請求項３に記載の材料充填装置において、
前記充填装置ユニットは、前記第１容器保持部と前記材料中継部材とが固定されている材料充填装置。
【請求項６】
請求項１から請求項３のいずれか、又は、請求項５に記載の材料充填装置において、
前記材料中継部材の側面の内周面は、鉛直方向に配列された下部領域及び上部領域を含み、
前記下部領域は前記上部領域側を向く傾斜面となっており、
前記上部領域は前記下部領域側を向く傾斜面となっており、
前記貫通穴は、前記下部領域及び前記上部領域の境界に形成されている材料充填装置。
【請求項７】
請求項１から請求項６のいずれかに記載の材料充填装置において、
前記材料中継部材は、当該材料中継部材の側面の内周面を水平面で切断した断面が、円形又は多角形となるように構成されており、
前記貫通穴は、前記材料中継部材の側面の内周面を水平面で切断した断面が前記多角形である場合において、前記多角形の頂点に配置されている材料充填装置。
【請求項８】
請求項１から請求項７のいずれかに記載の材料充填装置において、
前記充填装置ユニットを格納する気密性のチャンバと、
前記チャンバ内を減圧する減圧手段と、
をさらに含む材料充填装置。
【請求項９】
請求項２から請求項８のいずれかに記載の材料充填装置において、
前記回転駆動機構を制御して前記充填装置ユニットの回転数を調整する制御手段をさらに含み、
前記制御手段は、
前記材料を前記第１容器から前記材料中継部材の区画領域の周縁部に移送し、さらに、前記貫通穴を経由して前記第２容器に移送して充填する工程中に、前記充填装置ユニットの回転数を変化させる処理を行う材料充填装置。
【請求項１０】
請求項９に記載の材料充填装置において、
前記制御手段は、
前記材料を前記第１容器から前記材料中継部材の区画領域の周縁部に移送し、さらに、前記貫通穴を経由して前記第２容器に移送して充填する工程中に、少なくとも一度、前記充填装置ユニットの回転数を低下させる処理を行う材料充填装置。
【請求項１１】
請求項９に記載の材料充填装置において、
前記制御手段は、
前記材料を前記第１容器から前記材料中継部材の区画領域の周縁部に移送し、さらに、前記貫通穴を経由して前記第２容器に移送して充填する工程の初期の所定時間、前記充填装置ユニットを第１回転数以下の値で回転さる処理を行い、その後、前記充填装置ユニットを前記第１回転数よりも速い第２回転数で回転させる処理を行う材料充填装置。
【請求項１２】
請求項１から請求項１１のいずれかに記載の材料充填装置において、
前記材料中継部材の側面には複数の前記貫通穴が形成されており、
前記充填装置ユニットは、複数の前記第２容器保持部を有する材料充填装置。
【請求項１３】
請求項１２に記載の材料充填装置において、
前記充填装置ユニットは、
前記材料中継部材の区画領域の周縁部に移送された材料を、前記第２容器に移送可能な第１状態と、前記第２容器に移送不能な第２状態とに設定することが可能に構成されており、
前記第１状態と第２状態とを切り替える切り替え手段をさらに含む材料充填装置。
【請求項１４】
第１容器に収納された材料を、第２容器に充填する材料充填方法であって、
側面の内壁面によって区画された区画領域の周縁部で前記材料を中継する材料中継部材と、前記材料中継部材よりも外側の領域で前記第２容器を保持する第２容器保持部とを有する充填装置ユニットを用意する第１ステップと、
前記第２容器保持部に前記第２容器を保持させて、前記材料中継部材の側面に形成された貫通穴を介して、前記第２容器の内部空間と前記材料中継部材の区画領域とを連通させる第２ステップと、
前記充填装置ユニットを、前記材料中継部材の区画領域の中心を通り、鉛直方向に延びる回転軸線を中心に回転させることによって前記材料に遠心力を作用させて、前記第１容器から前記材料中継部材に供給された前記材料を、前記貫通穴を経由して、前記材料中継部材の区画領域から、前記第２容器保持部により、前記回転軸線に対して傾斜するように保持された前記第２容器の内部空間に移送して充填する第３ステップと、
を含む材料充填方法。
【請求項１５】
請求項１４に記載の材料充填方法において、
前記第１容器は、上端が開口すると共に、内側面が上端側を向く傾斜面となっているものであり、
前記第１ステップにて、さらに、前記第１容器の上端を上に向けた姿勢で当該第１容器を保持する第１容器保持部を用意すると共に、前記材料中継部材の側面で、前記第１容器の上端を囲繞し、
前記第３ステップにおける、前記第１容器から前記材料中継部材への前記材料の供給を、前記回転軸線を中心に前記充填装置ユニットを回転させることにより、前記材料に遠心力を作用させることで行う材料充填方法。
【手続補正２】
【補正対象書類名】明細書
【補正対象項目名】０００６
【補正方法】変更
【補正の内容】
【０００６】
（１）本発明に係る材料充填装置は、
第１容器に収納された材料を、第２容器に充填する材料充填装置であって、
側面の内壁面によって区画された区画領域の周縁部で前記第１容器から供給された前記材料を中継する材料中継部材と、前記材料中継部材よりも外側の領域で前記第２容器を保持する第２容器保持部とを有する充填装置ユニットと、
前記充填装置ユニットを、前記材料中継部材の区画領域の中心を通り、鉛直方向に延びる回転軸線を中心に回転させる回転駆動機構と、
を含み、
前記材料中継部材の側面には、貫通穴が形成されており、
前記第２容器保持部は、前記回転軸線に対して傾斜するように、前記第２容器を保持し、
前記充填装置ユニットは、前記貫通穴を介して前記材料中継部材の区画領域と前記第２容器の内部空間とが連通されるように構成されており、
前記回転駆動機構は、前記充填装置ユニットを回転させることにより、前記材料に作用する遠心力を利用して、前記第１容器から前記材料中継部材に供給された前記材料を、前記材料中継部材の区画領域の周縁部に移送し、さらに、前記貫通穴を経由して前記第２容器に移送して充填する。
【手続補正３】
【補正対象書類名】明細書
【補正対象項目名】０００８
【補正方法】変更
【補正の内容】
【０００８】
（２）この材料充填装置において、
前記第１容器は、上端が開口しており、内側面が当該第１容器の上端側を向く傾斜面となっており、
前記充填装置ユニットは、前記第１容器の上端を上に向けた姿勢で、当該第１容器を保持する第１容器保持部をさらに備えて、前記材料中継部材の側面に前記第１容器の上端を囲繞させ、
前記回転駆動機構は、前記充填装置ユニットを回転させることにより、前記材料に作用する遠心力を利用して、前記第１容器からの前記材料の前記材料中継部材への供給を行ってよい。
【手続補正４】
【補正対象書類名】明細書
【補正対象項目名】０００９
【補正方法】変更
【補正の内容】
【０００９】
（３）この材料充填装置において、
前記第１容器は、上端が開口しており、内側面が当該第１容器の上端側を向く傾斜面となっており、
前記充填装置ユニットは、前記第１容器の上端を下に向けた姿勢で、当該第１容器を保持する第１容器保持部をさらに備えて、前記材料中継部材の側面に前記第１容器の上端と対抗する底面を囲繞させ、
前記回転駆動機構は、前記充填装置ユニットを回転させることにより、前記材料に作用する遠心力を利用して、前記第１容器からの前記材料の前記材料中継部材への供給を行ってよい。
【手続補正５】
【補正対象書類名】明細書
【補正対象項目名】００１０
【補正方法】変更
【補正の内容】
【００１０】
（４）この材料充填装置において、
前記充填装置ユニットは、前記第１容器保持部と前記材料中継部材とが相対的に回転可能に構成されており、
前記回転駆動機構は、前記第１容器保持部を回転駆動する第１回転駆動機構と、前記材料中継部材を回転駆動する第２回転駆動機構とを含んでもよい。
【手続補正６】
【補正対象書類名】明細書
【補正対象項目名】００１１
【補正方法】変更
【補正の内容】
【００１１】
（５）この材料充填装置において、
前記充填装置ユニットは、前記第１容器保持部と前記材料中継部材とが固定されてもよい。
【手続補正７】
【補正対象書類名】明細書
【補正対象項目名】００１２
【補正方法】変更
【補正の内容】
【００１２】
（６）この材料充填装置において、
前記材料中継部材の側面の内周面は、鉛直方向に配列された下部領域及び上部領域を含み、
前記下部領域は前記上部領域側を向く傾斜面となっており、
前記上部領域は前記下部領域側を向く傾斜面となっており、
前記貫通穴は、前記下部領域及び前記上部領域の境界に形成されていてもよい。
【手続補正８】
【補正対象書類名】明細書
【補正対象項目名】００１３
【補正方法】変更
【補正の内容】
【００１３】
（７）この材料充填装置において、
前記材料中継部材は、当該材料中継部材の側面の内周面を水平面で切断した断面が、円形又は多角形となるように構成されており、
前記貫通穴は、前記材料中継部材の側面の内周面を水平面で切断した断面が前記多角形である場合において、前記多角形の頂点に配置されてもよい。
【手続補正９】
【補正対象書類名】明細書
【補正対象項目名】００１４
【補正方法】削除
【補正の内容】
【手続補正１０】
【補正対象書類名】明細書
【補正対象項目名】００１６
【補正方法】変更
【補正の内容】
【００１６】
（９）この材料充填装置において、
前記回転駆動機構を制御して前記充填装置ユニットの回転数を調整する制御手段をさらに含み、
前記制御手段は、
前記材料を前記第１容器から前記材料中継部材の区画領域の周縁部に移送し、さらに、前記貫通穴を経由して前記第２容器に移送して充填する工程中に、前記充填装置ユニットの回転数を変化させる処理を行ってもよい。
【手続補正１１】
【補正対象書類名】明細書
【補正対象項目名】００１７
【補正方法】変更
【補正の内容】
【００１７】
（１０）この材料充填装置において、
前記制御手段は、
前記材料を前記第１容器から前記材料中継部材の区画領域の周縁部に移送し、さらに、前記貫通穴を経由して前記第２容器に移送して充填する工程中に、少なくとも一度、前記充填装置ユニットの回転数を低下させる処理を行ってもよい。
【手続補正１２】
【補正対象書類名】明細書
【補正対象項目名】００１８
【補正方法】変更
【補正の内容】
【００１８】
（１１）この材料充填装置において、
前記制御手段は、
前記材料を前記第１容器から前記材料中継部材の区画領域の周縁部に移送し、さらに、前記貫通穴を経由して前記第２容器に移送して充填する工程の初期の所定時間、前記充填装置ユニットを第１回転数以下の値で回転さる処理を行い、その後、前記充填装置ユニットを前記第１回転数よりも速い第２回転数で回転させる処理を行ってもよい。
【手続補正１３】
【補正対象書類名】明細書
【補正対象項目名】００１９
【補正方法】変更
【補正の内容】
【００１９】
（１２）この材料充填装置において、
前記材料中継部材の側面には複数の前記貫通穴が形成されており、
前記充填装置ユニットは、複数の前記第２容器保持部を有してもよい。
【手続補正１４】
【補正対象書類名】明細書
【補正対象項目名】００２０
【補正方法】変更
【補正の内容】
【００２０】
（１３）この材料充填装置において、
前記充填装置ユニットは、
前記材料中継部材の区画領域の周縁部に移送された材料を、前記第２容器に移送可能な第１状態と、前記第２容器に移送不能な第２状態とに設定することが可能に構成されており、
前記第１状態と第２状態とを切り替える切り替え手段をさらに含んでもよい。
【手続補正１５】
【補正対象書類名】明細書
【補正対象項目名】００２１
【補正方法】変更
【補正の内容】
【００２１】
（１４）本発明に係る材料充填方法は、
第１容器に収納された材料を、第２容器に充填する材料充填方法であって、
側面の内壁面によって区画された区画領域の周縁部で前記材料を中継する材料中継部材と、前記材料中継部材よりも外側の領域で前記第２容器を保持する第２容器保持部とを有する充填装置ユニットを用意する第１ステップと、
前記第２容器保持部に前記第２容器を保持させて、前記材料中継部材の側面に形成された貫通穴を介して、前記第２容器の内部空間と前記材料中継部材の区画領域とを連通させる第２ステップと、
前記充填装置ユニットを、前記材料中継部材の区画領域の中心を通り、鉛直方向に延びる回転軸線を中心に回転させることによって前記材料に遠心力を作用させて、前記第１容器から前記材料中継部材に供給された前記材料を、前記貫通穴を経由して、前記材料中継部材の区画領域から、前記第２容器保持部により、前記回転軸線に対して傾斜するように保持された前記第２容器の内部空間に移送して充填する第３ステップと、
を含む。
【手続補正１６】
【補正対象書類名】明細書
【補正対象項目名】００２３
【補正方法】変更
【補正の内容】
【００２３】
（１５）この材料充填方法において、
前記第１容器は、上端が開口すると共に、内側面が上端側を向く傾斜面となっているものであり、
前記第１ステップにて、さらに、前記第１容器の上端を上に向けた姿勢で当該第１容器を保持する第１容器保持部を用意すると共に、前記材料中継部材の側面で、前記第１容器の上端を囲繞し、
前記第３ステップにおける、前記第１容器から前記材料中継部材への前記材料の供給を、前記回転軸線を中心に前記充填装置ユニットを回転させることにより、前記材料に遠心力を作用させることで行ってもよい。
【手続補正１７】
【補正対象書類名】明細書
【補正対象項目名】００２４
【補正方法】削除
【補正の内容】